(57)【要約】【課題】陳列台の最上部に位置する保持ケースに保持されている陳列物も、肩が垂れることなく良好に陳列する。【解決手段】陳列台１０に、少なくとも一カ所に掛止部を形成した縦桟３１・３１に、上下方向に複数の保持ケース３２・３２・・・を並べて固定して成るワイヤラック１２を備える。ワイヤラック１２では、保持ケース３２を、陳列物１３を差し込み可能な開口部３２ａと陳列物１３を保持する保持部３２ｂとを一体的に備えて形成する。そして、上に位置する保持ケース３２の保持部３２ｂの少なくとも一部分を、下に位置する保持ケース３２の開口部３２ａに挿入された状態となるように配置し、最も上に配置された保持ケース３２の開口部３２ａに、陳列物１３の左右幅方向略中央部を後方から前方へ押し出すことのできる押出桟３４を設けた。【選択図】図１
2005278881.tif 000002
【特許請求の範囲】
【請求項１】
少なくとも一カ所に掛止部を形成した縦桟に、上下方向に複数の保持ケースを並べて固定して成るワイヤラックを備え、
前記保持ケースを、陳列物を差し込み可能な開口部と、陳列物を保持する保持部とを、一体的に備えて形成し、
該保持ケースを、上に位置する保持ケースの保持部の少なくとも一部分を、下に位置する保持ケースの開口部に挿入された状態となるように配置し、
最も上に配置された保持ケースの開口部に、陳列物の左右幅方向略中央部を後方から前方へ押し出すことのできる押出部材を設ける
ことを特徴とする陳列台。
【請求項２】
前記ワイヤラックを、可動台又は固定台に設けた支持桟に引っ掛け固定して構成する、
請求項１に記載の陳列台。
【請求項３】
前記ワイヤラックを、壁に固設した支持桟に引っ掛け固定して構成する、
請求項１に記載の陳列台。
【発明の詳細な説明】
【技術分野】
【０００１】
本発明は、カタログやパンフレット等の刊行物類を陳列するための陳列台に関する。
【背景技術】
【０００２】
従来、カタログやパンフレット等の、比較的薄い刊行物を陳列する陳列台が知られている。これらは、一般に、回転する枠台や、立設されたパネル状の枠台に、複数の保持ケースが上下方向や左右方向に並設されて、構成されている。これにより、一の陳列台に設けられた全ての保持ケースにおいて、保持ケース内の一番前にある刊行物の表紙の少なくとも一部を見ることができる状態に陳列することができるように構成されている。保持ケースは、金属ワイヤ製のカゴ状であったり、合成樹脂製の箱状であったり、様々な形状や素材のものが知られている。
【０００３】
上記のような陳列台に陳列される刊行物等の陳列物は、比較的薄いものが多く、また、陳列台自体が店舗の外など戸外に設置されることがあり、陳列物がばらついたり、保持ケースからはみ出している部分がおれたりする不具合がある。この不具合を解消するために、従来、様々な技術が提案されている。
【０００４】
特許文献１に示すように、保持ケースを、左右幅方向略中心部が左右両側より前方に位置するように形成して、刊行物を彎曲又は後方に傾斜させて、刊行物が前方に倒れるのを防止する構造が公開されている。
また、特許文献２に示すように、一個の保持ケースと、すぐ上に存在する収納ケースの前後方向の重なりを利用して、刊行物を左右幅方向で彎曲させて、両肩が垂れないように差し込む構造のものが公開されている。
また、特許文献３に示すように、舌片状の補助板を設けることによって、刊行物を前方に押圧させて、がたつくことなく安定に保持された状態で収納部内に収納させたものが公開されている。
【０００５】
【特許文献１】実開昭６０−１９０７９号公報
【特許文献２】特開平６−２６１８２２号公報
【特許文献３】実用新案登録第３０５９８８２号公報
【発明の開示】
【発明が解決しようとする課題】
【０００６】
本発明では、上記従来技術に鑑み、陳列台の最上部に位置する保持ケースに保持されている陳列物も、肩が垂れることなく良好に陳列することのできる陳列台の構造を提案する。
また、バリエーションを脹らませることのできる、陳列台の構造を提案する。
【課題を解決するための手段】
【０００７】
本発明の解決しようとする課題は以上の如くであり、次にこの課題を解決するための手段を説明する。
【０００８】
即ち、請求項１においては、少なくとも一カ所に掛止部を形成した縦桟に、上下方向に複数の保持ケースを並べて固定して成るワイヤラックを備え、前記保持ケースを、陳列物を差し込み可能な開口部と、陳列物を保持する保持部とを、一体的に備えて形成し、該保持ケースを、上に位置する保持ケースの保持部の少なくとも一部分を、下に位置する保持ケースの開口部に挿入された状態となるように配置し、最も上に配置された保持ケースの開口部に、陳列物の左右幅方向略中央部を後方から前方へ押し出すことのできる押出部材を設ける陳列台である。
【０００９】
請求項２においては、前記ワイヤラックを、可動台又は固定台に設けた支持桟に引っ掛け固定して構成する陳列台である。
【００１０】
請求項３においては、前記ワイヤラックを、壁に固設した支持桟に引っ掛け固定して構成する陳列台である。
【発明の効果】
【００１１】
本発明の効果として、以下に示すような効果を奏する。
【００１２】
請求項１においては、陳列台の最上部に位置する保持ケースに保持されている陳列物も、肩が垂れることなく良好に陳列することができる。
【００１３】
請求項２においては、ワイヤラックと台とは分離可能であるので、台の形態を選択することで、陳列物の数や面積、方向等の陳列形態を変化させることができる。
【００１４】
請求項３においては、ワイヤラックを壁掛け状態に設置することができる。
【発明を実施するための最良の形態】
【００１５】
次に、発明の実施の形態を説明する。
図１は本発明の実施例に係る陳列台の構成を示した正面図である。
図２は枠台の正面図、図３は枠台の側面図である。図４は枠台の平面図である。図５はワイヤラックの正面図である。
図６はワイヤラックの側面図、図７はワイヤラックの平面図、図８は保持ケースの正面図、図９は保持ケースの斜視図である。
図１０は刊行物の存在域を示すワイヤラックの平面図、図１１は陳列台に刊行物が保持されている様子を示す正面図、図１２はワイヤラックに刊行物が保持されている様子を示す背面斜視図である。
図１３は本発明に係る陳列台の別実施例を示す正面図、図１４は本発明に係る陳列台の別実施例を示す正面図である。
【００１６】
図１に示す如く、本実施例に係る陳列台１０は、枠台１１とワイヤラック１２とで構成されている。ワイヤラック１２は枠台１１に引っ掛け固定されており、一の枠台１１に対して単数又は複数のワイヤラック１２を備えることができる。また、ワイヤラック１２は枠台１１より着脱可能であり、陳列物１３を移動させたり陳列物１３を変更したりする際に、ワイヤラック１２を枠台１１より取り外すことができて、利便を図ることができる。
【００１７】
図１乃至図４に示す如く、枠台１１は、縦桟２１・２１と、これらの縦桟２１・２１の上部同士を連結する上連結桟２５と、下部同士を連結する下連結桟２６と、各縦桟２１・２１の下端に略直交するように連結された横桟２４・２４とで、その外形部分が構成されている。縦桟２１と横桟２４とは併せて側面視逆さＴ字状となるように連結されており、横桟２４・２４の下面には、複数の車輪２７・２７が設けられて、枠台１１が移動可能とされている。
【００１８】
前記上連結桟２５の下方において左右の縦桟２１・２１には化粧板２８が架設されている。
また、化粧板２８の下方において、略二等辺三角形状に形成された上支持桟２２が、左右の縦桟２１・２１に架設されており、さらに、上支持桟２２の所定間隔をあけて下方に、上支持桟２２と略同様の形状の下支持桟２３が左右の縦桟２１・２１に架設されている。
この上支持桟２２と、下支持桟２３とに、ワイヤラック１２の上端と下端とが掛止されている。
【００１９】
図１、図５乃至図７に示す如く、ワイヤラック１２は、左右の縦桟３１・３１と、これらの間に架設され、上下方向に複数並設された保持ケース３２・３２・・・と、保持ケース３２・３２・・・を連結する連結縦桟３３・３３と、最も上部に位置する保持ケース３２に固設された押出桟３４とで構成されている。
これらワイヤラック１２の各構成要素は、いずれも金属製の線材で構成されており、各構成要素は溶接固定されている。
【００２０】
縦桟３１は、連続する一本の金属線材にて形成されており、その上端と下端とのそれぞれに掛止部としてのフック３１ａ・３１ｂが形成されており、上部のフック３１ａを枠台１１の上支持桟２２に引っ掛け、下部のフック３１ｂを枠台１１の下支持桟２３に引っ掛けるように構成されている。
上部のフック３１ａに対して、下部のフック３１ｂは後方に位置するように形成されており、縦桟３１のフック３１ａ・３１ｂが枠台１１の上支持桟２２と下支持桟２３とに引っ掛けられたときに、ワイヤラック１２の縦桟３１・３１の下方が上方と比較して幾分前方に出た状態に保持されるようにしている。これにより、ワイヤラック１２に保持される陳列物１３は、常にやや上向きの状態となる。
【００２１】
なお、縦桟３１に形成される掛止部としてのフック３１ａ・３１ｂの位置及び数は上記に限定されるものではなく、一本の縦桟３１に少なくとも一つの掛止部が備えられて、ワイヤラック１２を適当なものに引っ掛け固定することができれば良い。
【００２２】
図８及び図９にも示す如く、保持ケース３２は、連続する一本の金属線材にて形成されており、上部に陳列物１３を挿入する開口部３２ａが形成され、該開口部３２ａに連続して下方に、陳列物１３を保持する保持部３２ｂが形成されている。
【００２３】
開口部３２ａでは、略水平方向に延在する背部３２ｗの左右両端側から、陳列物１３を挿入する部分を抱え込むように腕部３２ｘ・３２ｘが形成されて、保持ケース３２に保持される陳列物１３の左右幅方向の動きが規制されている。腕部３２ｘ・３２ｘは左右幅方向略中心に向かって前方へ緩やかに傾斜しており、開口部３２ａが平面視において前方へ脹らんだかたちになるように形成されている。
【００２４】
そして、保持部３２ｂでは、腕部３２ｘ・３２ｘから下方へ屈曲して斜め下方向に延在する胴部３２ｙ・３２ｙが形成され、胴部３２ｙ・３２ｙの下端は背部３２ｗ側へ屈曲されて、この保持部３２ｂにて陳列物１３の下方向への動きが規制されている。
【００２５】
上述の如く形成される保持ケース３２は、ワイヤラック１２において上下方向に複数並設される。上に位置する保持ケース３２の保持部３２ｂの少なくとも一部が、下に位置する保持ケース３２の開口部３２ａに挿入されるかたちで、保持ケース３２・３２・・・がそれぞれ一部重複する状態に重ねられた状態に配置されている。
そして、各保持ケース３２・３２・・・の背部３２ｗ・３２ｗ・・・が連結縦桟３３・３３を介して連結され、各保持ケース３２・３２・・・の腕部３２ｘ・３２ｘが左右の縦桟３１・３１を介して連結されている。
【００２６】
上述の如く配置される上下の保持ケース３２・３２では、上に位置する保持ケース３２・３２の保持部３２ｂにより、下に位置する保持ケース３２の開口部３２ａの、実際に陳列物１３を挿入できる空間１３ａの形状が前方に彎曲した状態になる。これにより、図１０及び図１１に示す如く、保持ケース３２・３２に保持される陳列物１３は、左右幅方向において前方へ彎曲した状態となる。
【００２７】
また、最も上に位置する保持ケース３２には、その背部３２ｗに、陳列物１３の左右幅方向略中央部を後方から前方へ押し出すための押出部材としての押出桟３４が設けられている。押出桟３４は背部３２ｗから前方へ突出する略円弧状に形成されている。なお、押出桟３４の形状は本実施例に限定されるものではなく、背部３２ｗから前方へ突出する形状であればよく、例えば、略三角形状としたり、略五角形状としたりすることもできる。
この押出桟３４により、図１０及び図１２に示す如く、最も上に位置する保持ケース３２の開口部３２ａも、実際に陳列物１３を挿入できる空間１３ａの形状が前方に彎曲した状態になる。これにより、保持ケース３２・３２に保持される陳列物１３は、左右幅方向において前方へ彎曲した状態となる。
【００２８】
従って、ワイヤラック１２にて保持される全ての陳列物１３は、左右幅方向に前方へ彎曲して、やや反った状態に維持されるため、陳列物１３の上部が垂れることなく、また、重ねられた陳列物１３がばらつくことなく安定して、ワイヤラック１２の保持ケース３２・３２・・・に保持されることとなる。
【００２９】
なお、本実施例においては、枠台１１に設けられた上支持桟２２及び下支持桟２３は略三角形状として、一台の陳列台１０に二つのワイヤラック１２・１２を備えることを可能としているが、ワイヤラック１２の備え付け形態はこれに限定されるものではない。
例えば、図１３に示すように、枠台１１に設けられた上支持桟２２及び下支持桟２３を略平板状として、ここに複数のワイヤラック１２・１２・・・を備えるようにすることもできる。
また、例えば、枠台１１を、回転台として、この回転台に設けられた上支持桟２２及び下支持桟２３にワイヤラック１２を引っ掛けて保持させるようにすることもできる。
さらに、必ずしも枠台１１は必要ではなく、図１４に示すように、上支持桟２２及び下支持桟２３を壁３０等に固設して、この上支持桟２２及び下支持桟２３にワイヤラック１２・１２・・・を引っ掛けて備えることもできる。特に、本実施例に係るワイヤラック１２は前後方向の厚みが比較的小さいので壁掛け状態としても、室内へ突出して圧迫感を与えること無く設置することができる。
【００３０】
上述の如く、ワイヤラック１２と枠台１１とは分離可能であるので、枠台１１を選択することで、様々な陳列形態（立体状、平面状、可動、固定など）を形成することができる。また、一台の陳列台１０に陳列可能な陳列物の数を可変とすることができる。
従って、ワイヤラック１２を汎用品とし、枠台１１にバリエーションを備えることで、陳列台１０としての製品のバリエーションを備えることができる。
【図面の簡単な説明】
【００３１】
【図１】本発明の実施例に係る陳列台の構成を示した正面図。
【図２】枠台の正面図。
【図３】枠台の側面図。
【図４】枠台の平面図。
【図５】ワイヤラックの正面図。
【図６】ワイヤラックの側面図。
【図７】ワイヤラックの平面図。
【図８】保持ケースの正面図。
【図９】保持ケースの斜視図。
【図１０】刊行物の存在域を示すワイヤラックの平面図。
【図１１】陳列台に刊行物が保持されている様子を示す正面図。
【図１２】ワイヤラックに刊行物が保持されている様子を示す背面斜視図。
【図１３】本発明に係る陳列台の別実施例を示す正面図。
【図１４】本発明に係る陳列台の別実施例を示す正面図。
【符号の説明】
【００３２】
１０  陳列台
１１  枠台
１２  ワイヤラック
１３  陳列物
２２  上支持桟
２３  下支持桟
３１  縦桟
３２  保持ケース
３３  連結縦桟
３４  押出桟
【図１】
2005278881.tif 000003
【図２】
2005278881.tif 000004
【図３】
2005278881.tif 000005
【図４】
2005278881.tif 000006
【図５】
2005278881.tif 000007
【図６】
2005278881.tif 000008
【図７】
2005278881.tif 000009
【図８】
2005278881.tif 000010
【図９】
2005278881.tif 000011
【図１０】
2005278881.tif 000012
【図１１】
2005278881.tif 000013
【図１２】
2005278881.tif 000014
【図１３】
2005278881.tif 000015
【図１４】
2005278881.tif 000016